(57)【要約】      （修正有）【課題】使用者移動装置と連携し、使用者を吊るすおよび／または移動するための、改善された使用者保持装置を提供する。【解決手段】使用者保持装置１０は、身体保持器１２、第一の保持ループ１８および第二の保持ループ２０を備える。身体保持器は、使用者の少なくとも一部を保持するように構成される。第一の保持ループは、身体保持器に連結されており、そこで第一の距離から延びている。第二の保持ループは、身体保持器に連結されており、第一の保持ループの一部に沿って重複して連結されている。第二の保持ループは、身体保持器から第二の距離だけ延びている。【選択図】図１
2013138851.tif 000002
【特許請求の範囲】
【請求項１】
使用者保持装置であって、
使用者の少なくとも一部を保持するように構成された身体保持器と、
前記身体保持器に連結され、そこで第一の距離から延びる第一の保持ループと、
前記身体保持器に連結され、前記第一の保持ループの一部に沿って重なり合うように連結される第二の保持サポートと、を備え、
前記第二の保持ループが、前記身体保持器から第二の距離だけ延びる使用者保持装置。
【請求項２】
前記第一の保持ループは、前記身体保持器の周縁に連結されたバインディングの一部によって画定される、請求項１の使用者保持装置。
【請求項３】
前記バインディングは、Ｃ字型であり、上面および下面を含む、請求項３の使用者保持装置。
【請求項４】
前記第二の保持ループの少なくとも一部と、前記身体保持器の周縁とは、前記上面と前記下面の間に位置する、請求項３の使用者保持装置。
【請求項５】
前記第一の距離は前記第二の距離より大きい、請求項１の使用者保持装置。
【請求項６】
前記第二の距離は前記第一の距離より大きい、請求項１の使用者保持装置。
【請求項７】
前記第二の保持ループは、前記第一の保持ループが前記第二の保持ループと前記身体保持器との間に位置するように、前記身体保持器に連結される、請求項１の使用者保持装置。
【請求項８】
前記第二のループが重なり合うように連結される前記第一のループの前記部分は、前記身体保持器に連結される、請求項１の使用者保持装置。
【請求項９】
前記身体保持器の少なくとも一部がパッドを含む、請求項１の使用者保持装置。
【請求項１０】
使用者保持装置であって、
身体保持器と、
前記身体保持器に連結されており、上層および下層を含む第一の保持ループと、
第二の保持ループであって、前記第二の保持ループの一部が、前記第一の保持ループの前記上層および前記下層の間に位置し、前記第一の保持ループの一部に沿って延びるように、前記第一の保持ループに連結された第二の保持ループと、
を備える使用者保持装置。
【請求項１１】
前記第一の保持ループは、前記身体保持器の周縁に連結されたバインディングの一部によって画定される、請求項１０の使用者保持装置。
【請求項１２】
前記バインディングがＣ字型である、請求項１１の使用者保持装置。
【請求項１３】
前記第二の保持ループが前記身体保持器にも連結される、請求項１０の使用者保持装置。
【請求項１４】
前記第一の保持ループが前記身体部分から第一の距離だけ延び、前記第二の保持ループが前記身体保持器から第二の距離だけ延び、前記第一の距離が前記第二の距離よりも大きい、請求項１０の使用者保持装置。
【請求項１５】
前記第二の保持ループは、前記第一の保持ループのかなりの部分に沿って前記第一の保持ループに連結される、請求項１０の使用者保持装置。
【請求項１６】
保持延長部分であって、
第一の長さの第一のループと、
第二の長さの第二のループとを備え、前記第二のループが前記第二の長さのかなりの部分に沿って前記第一のループに重なり合うように連結されている保持延長部分。
【請求項１７】
前記第一のループが第一の層および第二の層を含み、前記第二のループの一部が前記第一の層と前記第二の層の間に位置する、請求項１６の保持延長部分。
【請求項１８】
前記第一のループおよび前記第二のループが、それ自体に重なり合うように連結された構造によって画定される、請求項１６の保持延長部分。
【請求項１９】
前記第二の長さが前記第一の長さより小さい、請求項１６の保持延長部分。
【請求項２０】
前記第一のループが第一の端部および第二の端部を含み、前記第二のループが第一の端部および第二の端部を含み、前記第二のループの第二の端部が前記第一のループの前記第二の端部に重複して連結され、前記第一のループの第一の端部が、前記第二のループの前記第一の端部から、ある距離だけ離れている、請求項１６の保持延長部分。
【発明の詳細な説明】
【技術分野】
【０００１】
本開示は、使用者保持装置に関する。より具体的には、本開示は、第一の位置と第二の位置の間で使用者の少なくとも一部を吊るすおよび／または移動するために、使用者移動装置と連携するよう構成された使用者保持装置に関するが、これに限定されない。
【発明の概要】
【発明が解決しようとする課題】
【０００２】
さまざまな使用者保持装置が開発されてきたものの、依然として改善の余地が残されている。従って、この技術分野においては、さらなる貢献の必要性が存続している。
【課題を解決するための手段】
【０００３】
例示的な一つの実施形態において、使用者保持装置は、身体保持器、第一の保持ループおよび第二の保持ループを備える。身体保持器は、使用者の少なくとも一部を保持するように構成される。第一の保持ループは、身体保持器に連結されており、そこで第一の距離から延びている。第二の保持ループは、身体保持器に連結されており、第一の保持ループの一部に沿って重なり合うように連結されている。第二の保持ループは、身体保持器から第二の距離だけ延びている。
【０００４】
別の例示的な一つの実施形態において、使用者保持装置は、身体保持器、第一の保持ループおよび第二の保持ループを備える。第一の保持ループは、身体保持器に連結されている。第一の保持ループは、上層および下層を含む。第二の保持ループの一部が、第一の保持ループの上層と下層の間に位置し、第一の保持ループの一部に沿って延びるように、第二の保持ループは第一の保持ループに連結されている。
【０００５】
別の例示的実施形態では、保持延長部分は、第一の長さの第一のループおよび第二の長さの第二のループを備える。第二のループは、第二の長さのかなりの部分に沿って、第一のループに重なり合うように連結されている。
【０００６】
追加的な特徴は単独でも、または上記および請求項に列記され下記で詳述されるものを含む他のいかなる特徴と組み合わせても、特許性のある主題を構成し得る。別の特徴も、現時点で理解されている発明を実施するための最良の形態の模範例を示す例証となる実施形態の下記の詳細な説明を考察することにより当業者にとって明らかとなろう。
【０００７】
次に、図面の用例を参照するが、ここで類似の数字は、全体を通して同一または類似した要素を表す。
【図面の簡単な説明】
【０００８】
【図１】図１は、一つの例示的実施形態に従って、リフトシステムに連結され、使用者を保持している使用者保持スリングとして示される、使用者保持装置の側面斜視図である。
【図２】図２は、メインパネル、トップループ、脚保持ループ、およびハンドルを示す、図１の使用者保持装置の底面図である。
【図３】図３は、外側ループおよび内側ループを示す、図２の脚保持ループの底面図である。
【図４】図４は、内側ループ、およびＣ字型バインディング内に連結されたメインパネルを示す、図２の脚保持ループの断面図である。
【図５】図５は、内部ループが単一層バインディングとメインパネルの間に連結されている、別の例示的実施例に従った図２の脚保持ループの断面図である。
【図６Ａ】図６Ａは、一つの例示的実施形態に従った、延長ループの上面図である。
【図６Ｂ】図６Ｂは、外側ループの上面と下面の間に位置する内側ループの一部を示す、図６Ａの延長ループの断面図である。
【図７Ａ】図７Ａは、別の例示的実施形態に従った、延長ループの上面図である。
【図７Ｂ】図７Ｂは、中間層の上面と下面の間に位置する内層の一部、および外層の上面と下面の間に位置する中間層の一部を示す、図７Ａの延長ループの断面図である。
【図８】図８は、図１の使用者保持装置の上部ループに連結されている延長ループの側面斜視図である。
【発明を実施するための形態】
【０００９】
本開示は数多くの異なる形態を取りうる一方で、この開示の原理の理解を促進する目的で、ここで図面に示した実施形態への参照をし、またそれらを説明するために特定の文言を使用する。従って、本開示の範囲を限定することを意図するものではない。本明細書で説明した本開示の原理のさまざまな変更、説明した実施形態のさらなる修正、および任意のさらなる応用が意図されている。
【００１０】
本開示の例示的な一つの実施形態による使用者保持装置１０を図１〜８に示す。使用者保持装置１０は、天井リフト、移動式ホイスト、または他の吊り上げ装置などの使用者吊り上げ装置ＬＤ１のスリング連結部分と連結するように構成され、それと連携して、吊り上げ、下降、回転、および／または移動することによって、第一の位置と第二の位置の間で使用者の少なくとも一部を吊るすおよび／または移動させるように構成された、使用者保持スリング１０またはハーネス１０として示されている。一部の意図される実施形態では、保持装置１０は、ＰＣＴ公報ＷＯ２００４／０００１９０に開示されているもののような使い捨て吊り上げハーネスであり得る。他の意図される実施形態では、保持装置１０は、一つ以上のスリング、リフトシート、リフトストラップ、ラップ、頭部保持器、ベスト、またはＬｉｋｏ（登録商標）が販売する他のこのような使用者保持装置である可能性があり、これには、AmputeeSling、ComfortSling Plus、ComfortSling Plus High、ComfortVest、HygieneSling、HygieneVest、LiftPants、MasterVest、MultiStrap、Original HighBack Sling、Soft Original HighBack Sling、OriginalSling、RepoSheet Original、SafetyVest、SilhouetteSling、Solo HighBack、Solo RepoSheet、Solo SupportVest、SupportVest、Ultra Sling、UniversalSling、Octo LiftSheet、および／またはVest for StandingShellが含まれるが、これに限定されない。
【００１１】
保持装置１０は、メインパネル１２つまり身体保持器１２、ハンドル１４、バインディング１６、上部ループ１８、および脚保持ループ２０を含む。メインパネル１２は、図２に示されるように、背中保持部分２２および背中保持部分２２から延びている脚保持部分２６を含む。背中保持部分２２は、臀部の後部を含む、使用者の背中を保持するように構成されており、脚保持部分２６は、使用者の大腿部と連動し、それらを保持するように構成されている。一部の意図された実施形態では、メインパネル１２は、耐久性のあるポリエステル織物、メッシュ織物、または拭き取り可能な材料から成り、その材料の少なくとも一つの層を含む。また、一部の意図された実施形態では、メインパネル１２の一部は、臀部を保持するために臀部の下に位置付けることができる。他の意図された実施形態では、脚保持部分２６はパッド入りである。
【００１２】
ハンドル１４は、使用者が使用者保持装置１０によって保持されている時、介護者などの人が、使用者を移動するのに役立つ。ハンドル１４は、図２に示されるように、グリップ部分ＧＰ１、およびハンドル１４を背中保持部分２２の下面に連結する連結部分ＣＰ１を含む。
【００１３】
バインディング１６は、メインパネル１２の周縁に連結され、上部ループ１８および脚保持ループ２０の一部を形成する。一部の意図された実施形態では、バインディング１６は、メインパネル１２の周縁に沿って連結されない。図４に示されるように、バインディング１６はＣ型で、上部２８および下部３０を含む。一部の意図された実施形態では、図５に示されるように、バインディング１６は、実質的に平面な材料の単一層である。他の意図された実施形態では、バインディング１６は、織物ウェビングから成る。メインパネル１２の周縁は、上部２８と下部３０の間に位置し、そこの間に、平行ロックステッチなどのステッチ３２で連結されている。一部の意図された実施形態では、ステッチ３２は、他のタイプの縫いまたは縫い目であり得る。他の意図された実施形態では、メインパネル１２の周縁は、超音波溶接、熱溶接、接着、およびファスナーの使用などを含むがこれに限定されない他の技術を使用して、第一の部分２８と第二の部分３０の間に連結され得る。
【００１４】
上部ループ１８および脚保持ループ２０は、使用者吊り上げ装置ＬＤ１の保持装置連結部分と連結するように構成され、そこで連携して、メインパネル１２によって保持される使用者を吊るす／吊り上げる／下げる／回転する／移動する。一つの例示的実施形態では、上部ループ１８は背中保持部分２２から延び、脚保持ループ２０は脚保持部分２６から延びる。上部ループ１８および／または脚保持ループ２０は、異なるサイズの人々を保持し、異なる機能を実施するのを助けるためにいくつかの方法で構成され得る。一つの例示的実施形態では、脚保持ループ２０は、外側ループ３４および内側ループ３６を含む。一部の意図された実施形態では、上部ループ１８も、内側および外側ループ（図示せず）を含むことができる。外側ループ３４は、バインディング１６の一部によって画定され、脚保持器２６の端部から第一の距離Ｄ１だけ延びる。一部の意図された実施形態では、バインディング１６は、外側ループ３４を画定するためにそれ自体交差することができ、バインディング１６が交差する部分のそれ自体に連結できる。内側ループ３６は、外側ループ３４および脚保持器２６に連結され、第一の距離Ｄ１より短い第二の距離Ｄ２だけ、脚保持器２６の端部から延びる。一部の意図された実施形態では、内側ループ３６を、短縮された位置ではなく延ばされた位置として使用できるように、第二の距離Ｄ２は、第一の距離Ｄ１より大きい可能性がある。第二の距離Ｄ２は、使用者保持装置１０のサイズおよび形状に依存し得る。一つの例示的実施形態では、第一の距離Ｄ１は、約５８ｃｍであり、第二の距離は約４８ｃｍである。
【００１５】
図３に示されるように、内側ループ３６は、外側ループ３４の側部４０の間に連結された第一の部分３８、および外側ループ３４の側部４０に沿って延びる第二の部分４２を含む。一部の意図された実施形態では、内側ループ３６は、織物ウェビングから成る。一つの例示的実施形態では、図３および４に示されるように、第一の部分３８は、バータックステッチ４４で外側ループ３４の側部４０に連結され、第二の部分４２は、ビンディング１６の上部２８と下部３０の間に位置し、そこと脚保持器２６にステッチ３２によって連結されている。一部の意図された実施形態では、第二の部分４２は、外側ループ３４の上または下に連結できる。一部の意図された実施形態では、図５に示されるように、バインディング１６は材料の単一層であり、内側ループ３６の一部はバインディング１６に連結されており、バインディング１６とメインパネル１２の間に連結され得る。他の意図された実施形態では、内側ループ３６の一部はバインディング１６に連結されており、バインディング１６が内側ループ３６とメインパネル１２の間に位置するように、バインディング１６の上でメインパネル１２に連結されている。第一の部分３８を側部４０および上部２８と下部３０の間の第二の部分に連結すると、使用者保持装置１０の状態に関して、いくらかの冗長性および可視性を提供することができる。一部の意図された実施形態では、上部２８および（内側ループ３６に面している）下部３０の下面は、使用者保持装置１０の状態に関して使用者に警告するのを助けるために、オレンジ色または赤色など、上部２８および下部３０の外側に面した表面とは異なる色であり得る。他の意図された実施形態では、内側ループ３６が使用者保持装置１０の底面にあり、メインパネル１２が使用者により近くなるように、内側ループ３６はメインパネル１２に連結され、これは内側ループ３６の縁の端部が使用者に接触するのを防ぐのに役立つ。
【００１６】
外側ループ３４が吊り上げ装置ＬＤ１に連結された時、使用者保持装置１０は完全長の構成にあり、内側ループ３６が吊り上げ装置ＬＤ１に連結された時は、短縮された長さの構成にある。図３に示されるように、内側ループ３６は、外側ループ３４と連携して第一の開口部４６を画定し、外側ループ３４および脚保持部分２６と連携して第二の開口部４８を画定する。図１に示されるように、使用中、使用者の背中および大腿部がそれぞれ背中保持部分２２および脚保持部分２６によって保持されるように使用者が位置付けられる時、一つの脚保持ループ２０の外側ループ３４は、もう一方の脚保持ループ２０の第二の開口部４８を通り抜けて脚保持ストラップ２０を交差し、使用者保持装置１０上の使用者を保持するのを助ける。
【００１７】
別の例示的実施形態では、図６〜８に示されるように、上部ループ１８および脚保持ループ２０は、延長ループ５０を通して吊り上げ装置連結部分ＬＤ１に連結されている。延長ループ５０は、互いに重なり合う２つの楕円形状ループ（内側ループ５２および外側ループ５４）を含む。一つの例示的実施形態では、図６ＡおよびＢに示されるように、材料の第一の部分はそれ自体に重なり合うように連結され、内側ループ５２を形成し、材料の第二の部分は、それ自体に重なり合うように連結して、外側ループ５４を形成する。この実施形態では、内側ループ５２の一部は、外側ループ５４の上面ＵＳ１と下面ＬＳ１の間に位置し、平行ロックステッチなどのステッチＳＴ１によって互いに連結されている。別の例示的実施形態では、図７ＡおよびＢに示されるように、内側ループ５２および外側ループ５４は、ステッチＳＴ１によってそれ自体に連結され、内側ループ５２および外側ループ５４を形成するＣ型材料の単一片から形成される。この実施形態では、延長ループ５０は、外層ＯＬ１、中間層ＭＬ１、および内層ＩＬ１を含む。図７Ｂに示されるように、中間層ＭＬ１の一部は、外層ＯＬ１の上面ＵＳ２と下面ＬＳ２の間に位置し、内層ＩＬ１の一部は、中間層ＭＬ１の上面ＵＳ３と下面ＬＳ３の間に位置する。
【００１８】
ループ５２および５４は、図６Ａ、７ａ、および８に示されるように、それぞれ、吊り上げ装置連結部分５６ａおよび５６ｂ、保持装置連結部分５８ａおよび５８ｂ、保持装置連結部分５８ａおよび５８ｂと吊り上げ装置連結部分５６ａの間の第一の開口部６０、および吊り上げ装置連結部分５６ａと吊り上げ装置連結部分５６ｂの間の第二の開口部６２を含む。延長ループ５０は、吊り上げ装置連結部分５２と保持装置連結部分５４がループ１８の反対側になるように、延長ループ５０の一端を、例えば上部ループ１８の開口部ＯＰ１に通すことによって、上部ループ１８および／または脚保持ループ２０に連結されている。次に、図８に示されるように、吊り上げ装置連結部分５６ａおよび５６ｂは、その後、保持装置連結部分５８ａおよび５８ｂをループ１８に巻き付けるように、第一の開口部６０に通される。
【００１９】
本開示のその他数多くの実施形態も想定される。例えば、使用者保持装置は、身体保持器、第一の保持ループおよび第二の保持ループを備える。身体保持器は、使用者の少なくとも一部を保持するように構成される。第一の保持ループは、身体保持器に連結されており、そこで第一の距離から延びている。第二の保持ループは、身体保持器に連結されており、第一の保持ループの一部に沿って重なり合うように連結されている。第二の保持ループは、身体保持器から第二の距離だけ延びている。
【００２０】
別の例では、使用者保持装置は、身体保持器、第一の保持ループおよび第二の保持ループを備える。第一の保持ループは、身体保持器に連結されている。第一の保持ループは、上層および下層を含む。第二の保持ループの一部が、第一の保持ループの上層と下層の間に位置し、第一の保持ループの一部に沿って延びるように、第二の保持ループは第一の保持ループに連結されている。
【００２１】
別の例では、保持延長部分は、第一の長さの第一のループおよび第二の長さの第二のループを備える。第二のループは、第二の長さのかなりの部分に沿って、第一のループに重なり合うように連結されている。
【００２２】
本書に記載した一切の理論、動作メカニズム、証明、所見は、本開示の原理の理解をさらに高めることを意図し、いかなる方法でも本開示をそうした理論、動作メカニズム、実例となる実施形態、証明、または所見に依存することを意図していない。上記の説明において、好ましいという用語は、そのように記載した特徴がより望ましいことを示すが、それにもかかわらず、それが必要なわけではなく、その記載のない実施形態も本開示の範囲に入るものと意図されることが理解されるべきであり、その範囲は以下の請求項で定義される。
【００２３】
請求項を読む際に、単数形（原文で「a」、「an」）、「少なくとも一つ」、「少なくとも一部分」などの単語が使用されている時、請求項にそれに反する内容が具体的に述べられていない限り、請求項を一つの項目だけに限定する意図はないことが意図されている。「少なくとも一部分」および／または「一部分」という用語が使用されている時、その項目には、これに反して具体的に記載のない限り、一部分および／または項目全体が含まれる。
【００２４】
一部の実施形態のみを図示・説明しており、本書または下記の請求項のいずれかにより定義した通り、本開示の精神を逸脱しない、考えられるすべての代替、修正、態様、組み合わせ、原理、変形物、および等価物が保護されることが望ましいことが理解されるべきである。本開示の実施形態について、図面および上述の説明で詳細に図示・説明してきたが、これらは、実例となるものとして考慮されるべきであり、本発明を網羅するものではなく、開示した正確な形態に本開示を限定することを意図したものではない。追加的な代替、修正および変形物が、当業者にとって明白となりうる。また、発明の複数の態様や原理について提示してきたが、上記の各種の実施形態に照らすと、これらは組み合わせで利用する必要はなく、また発明の態様や原理のさまざまな組み合わせが可能である。
【図１】
2013138851.tif 000003
【図２】
2013138851.tif 000004
【図３】
2013138851.tif 000005
【図４】
2013138851.tif 000006
【図５】
2013138851.tif 000007
【図６Ａ】
2013138851.tif 000008
【図６Ｂ】
2013138851.tif 000009
【図７Ａ】
2013138851.tif 000010
【図７Ｂ】
2013138851.tif 000011
【図８】
2013138851.tif 000012
【外国語明細書】
2013138851.tif 000013
2013138851.tif 000014
2013138851.tif 000015
2013138851.tif 000016
2013138851.tif 000017
2013138851.tif 000018
2013138851.tif 000019
2013138851.tif 000020
2013138851.tif 000021
2013138851.tif 000022
2013138851.tif 000023
2013138851.tif 000024
2013138851.tif 000025
2013138851.tif 000026
2013138851.tif 000027
2013138851.tif 000028
2013138851.tif 000029
2013138851.tif 000030
2013138851.tif 000031
2013138851.tif 000032
2013138851.tif 000033
2013138851.tif 000034
2013138851.tif 000035
2013138851.tif 000036